(57)【要約】【課題】給油口からの直線距離が異なる左右の潤滑部に、潤滑剤を同時に均一に供給する。【解決手段】スライダ４の中心から偏心した位置に給油口９が設けられ、給油口９から左右の潤滑部１０ａ及び１０ｂまでの給油路１１の断面積を変更せずに、給油路１１の距離ＬａとＬｂが同じになるように構成されている。即ち、給油口９から潤滑部１０ｂへの給油路１１は水平路Ｌ１と垂直路Ｌ２の２つの通路で形成され、潤滑部１０ａへの給油路１１は３つの水平路Ｌ３、Ｌ４、Ｌ５と２つの垂直路Ｌ６、Ｌ７、Ｌ８により構成され、Ｌａ＝Ｌｂ＝Ｌ１＋Ｌ２＝Ｌ３＋Ｌ４＋Ｌ５＋Ｌ６＋Ｌ７＋Ｌ８とされている、【選択図】        図２
2005003062.tif 000002
【特許請求の範囲】
【請求項１】
断面コ字状に形成したガイドレールと、該ガイドレールの内側の溝に沿って転動する転動体を内蔵するスライダと、該スライダを前記ガイドレール軸方向に往復動する駆動軸部とを有し、前記スライダの端部には、左右の前記転動体に対する循環部を有するリターンキャップを装着した直動アクチュエータにおいて、前記スライダの端部において前記循環部への給油口を中央から偏心した位置に形成し、前記給油口から前記左右の循環部への給油通路の断面積と距離を左右同一に形成したことを特徴とする直動アクチュエータの潤滑剤供給機構。
【請求項２】
前記給油口から前記左右の循環部への給油通路を、前記リターンキャップとスライダとの接合端面に形成した請求項１に記載の直動アクチュエータの潤滑剤供給機構。
【発明の詳細な説明】
【０００１】
【発明の属する技術分野】
本発明は、産業機械、工作機械において使用する送り機構としてのボールねじやリニアガイド等のボール直動装置に使用される直動アクチュエータの潤滑剤供給機構に関するものである。
【０００２】
【従来の技術】
従来からリニアガイドなどの直動アクチュエータにおいては、転動部への潤滑剤を供給する方法として、例えば特許文献１、特許文献２に明示されているように、潤滑剤供給用貫通孔がスライダの一部を構成する例えばリターンキャップなどの転動体循環部材の中央に形成されており、そこから左右均等位置にある循環部に供給通路が形成され、この通路を介してグリースが供給されている。
【特許文献１】
実開昭６０−１０８８２１号公報
【特許文献２】
実公昭６２−１８７３５号公報
【０００３】
このように、潤滑剤供給用貫通孔を転動体循環部材の中央に形成できる場合は問題はないが、構造上偏った位置に潤滑剤供給用貫通孔を形成しなければならない場合があり、この場合は、例えば特許文献３に記載されているように、給油口から直線距離が近い潤滑部と遠い潤滑部とで油路の断面積に差をつけて、左右均一に潤滑剤を供給するようにした技術が公知とされている。
【特許文献３】
実開平２−２１３２６号公報
【０００４】
また類似するものとして、特許文献４に明示されているように、直動運動軸受の左右に２列の潤滑機構を設け、リターンキャップに形成した上下の転動部への潤滑剤供給通路の断面積に差を設けた構造が知られている。
【特許文献４】
特開平７ー３１７７６１号公報
【０００５】
【発明が解決しようとする課題】
上述の方法によれば、潤滑剤供給口から分岐する通路に均一に潤滑剤を供給できるが、使用するグリースやオイルの粘度に応じて断面積を微妙に変更する必要がある。従って、適当な断面積の差を導き出すために多くの実験などを必要とし、煩雑でもある。また、断面積が異なる潤滑通路を形成するために、専用の加工工具の準備など、加工コストが高騰するという問題点を有している。
【０００６】
本発明の目的は、上述の問題点を解消し、潤滑剤供給口の位置が左右ガイド部に対して均等位置に配置されず、何れかにずれている場合においても、スライダとガイドレール間を転動するボールを円滑に潤滑作用をさせるための構造の簡素な直動アクチュエータの潤滑剤供給機構を提供することにある。
【０００７】
【課題を解決するための手段】
上記目的を達成するための本発明に係る直動アクチュエータの潤滑剤供給機構は、断面コ字状に形成したガイドレールと、該ガイドレールの内側の溝に沿って転動する転動体を内蔵するスライダと、該スライダを前記ガイドレール軸方向に往復動する駆動軸部とを有し、前記スライダの端部には、左右の前記転動体に対する循環部を有するリターンキャップを装着した直動アクチュエータにおいて、前記スライダの端部において前記循環部への給油口を中央から偏心した位置に形成し、前記給油口から前記左右の循環部への給油通路の断面積と距離を左右同一に形成したことを特徴とする。
【０００８】
【発明の実施の形態】
本発明を図示の実施の形態に基づいて詳細に説明する。
図１は直動アクチュエータの潤滑剤供給機構を組み込んだ直動アクチュエータであるリニアガイドの一部の斜視図、図２はリターンキャップのスライダ側端面図を示している。
【０００９】
図１において、断面コ字状のリニアガイド１の内側に、ガイドレール２が形成され、ガイドレール２のガイドレール溝３に沿って転動する鋼球等から成る転動体５が内蔵されている。スライダ４にはボールねじナット６が一体に装着され、このナット６にスライダ４をガイドレール２の軸方向に往復動可能とするボールねじ軸７が螺合されている。また、スライダ４の両端には、循環装置であるリターンキャップ８が装着されている。
【００１０】
この実施の形態においては、スライダ４の上面とボールねじ軸７との間の肉厚が薄いため、中央位置に潤滑剤の給油口の形成ができず、中心から偏心した位置に給油口９が設けられている。そして、スライダ４とリターンキャップ８の接合端面には、図２に示すように給油口９から左右の潤滑部１０ａ及び１０ｂまでの給油路１１の断面積を変更せずに、給油路１１の距離ＬａとＬｂが同じになるように構成されている。
【００１１】
即ち、潤滑部１０ｂは給油口９から遠距離にあるため、給油路１１は水平路Ｌ１と垂直路Ｌ２の２つの通路で形成すればよいが、潤滑部１０ａへの距離ＬｂをＬａと同等とするために、折り返し部を設けて距離が調整されている。つまり、潤滑部１０ａの給油路１１は３つの水平路Ｌ３、Ｌ４、Ｌ５と２つの垂直路Ｌ６、Ｌ７、Ｌ８により構成され、Ｌａ＝Ｌｂ＝Ｌ１＋Ｌ２＝Ｌ３＋Ｌ４＋Ｌ５＋Ｌ６＋Ｌ７＋Ｌ８とされている。
【００１２】
また、この給油路１１はスライダ４とリターンキャップ８の接合端面に形成しているので、複雑な形状の給油路１１でも容易に形成することができる。
【００１３】
給油口９に対して左右に位置する給油路１１の形成は、双方の断面積と距離が同じであればよいので、直線に限定されず、曲線状給油路であっても支障はない。
【００１４】
【発明の効果】
以上説明したように本発明に係る直動アクチュエータの潤滑剤供給機構は、給油口からの直線距離が異なる左右の潤滑部にグリースなどの潤滑剤を同時に均一に供給することができ、かつ給油路の断面積を変えることがないので、潤滑剤の粘度が変化しても、従来構造のようにそれに対応して調整したりする必要もなく、安価となる。
【図面の簡単な説明】
【図１】リニアガイドの一部の斜視図である。
【図２】リターンキャップのスライダ側の断面図である。
【符号の説明】
１  リニアガイド
２  ガイドレール
３  ガイドレール溝
４  スライダ
５  転動体
６  ナット
７  ねじ軸
８  リターンキャップ
９  給油口
１０ａ、１０ｂ  潤滑部
１１  給油路
【図１】
2005003062.tif 000003
【図２】
2005003062.tif 000004